(57)【要約】【課題】所望の施設に対する代表的な検索条件を好適に提示することが可能な情報出力システム、端末装置、及び表示システムを提供する。【解決手段】情報出力システムは、例えば１又は複数のサーバ装置から構成され、検索条件取得手段と、評価手段と、出力手段と、を有する。検索条件取得手段は、複数の施設から所望の施設を検索するために用いられた検索条件を、複数のユーザから取得する。評価手段は、検索条件取得手段によって取得された複数の検索条件の各々で所望の施設を検索した結果から得られる評価値に基づき、複数の検索条件から所望の施設の検索に適した検索条件を選択し、又は／及び、複数の検索条件を所望の施設の検索に適した順に並べる。出力手段は、評価手段により選択又は／及び並べられた検索条件を出力する。【選択図】図７
2014203252.tif 000002
【特許請求の範囲】
【請求項１】
複数の施設から所望の施設を検索するために用いられた検索条件を、複数のユーザから取得する検索条件取得手段と、
前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、
前記評価手段により選択又は／及び並べられた検索条件を出力する出力手段と、
を有することを特徴とする情報出力システム。
【請求項２】
前記評価手段は、前記評価値を、前記検索条件で検索した場合に得られる施設の数、前記検索条件で検索した場合の前記所望の施設の順位、及び前記検索条件が前記複数のユーザによって用いられた回数の少なくとも１つに基づき算出することを特徴とする請求項１に記載の情報出力システム。
【請求項３】
前記所望の施設を指定する情報を送信する送信手段と、
請求項１または２に記載の情報出力システムから出力された前記検索条件を受信する受信手段と、
前記受信手段が受信した検索条件を表示する表示手段と、
を有することを特徴とする端末装置。
【請求項４】
前記表示手段が表示した検索条件のうち、外部入力に基づき指定された検索条件を指定するための操作方法を出力する案内手段をさらに有することを特徴とする請求項３に記載の端末装置。
【請求項５】
前記表示手段が表示した検索条件のうち、外部入力に基づき指定された検索条件に対して施設検索を実行し、当該施設検索の結果を出力する検索結果出力手段をさらに有することを特徴とする請求項３または４に記載の端末装置。
【請求項６】
請求項１または２に記載の情報出力システムと、
前記情報出力システムと通信を行う端末装置とを有する表示システムであって、
前記端末装置は、
前記所望の施設を指定する情報を送信する送信手段と、
前記情報出力システムの出力手段から出力された前記検索条件を受信する受信手段と、
前記受信手段が受信した検索条件を表示する表示手段と、
を有することを特徴とする表示システム。
【請求項７】
１又は複数のサーバ装置が実行する制御方法であって、
複数の施設から所望の施設を検索するために用いられた検索条件を、複数のユーザから取得する検索条件取得工程と、
前記検索条件取得工程によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価工程と、
前記評価工程により選択又は／及び並べられた検索条件を出力する出力工程と、
を有することを特徴とする制御方法。
【請求項８】
端末装置が実行する制御方法であって、
前記所望の施設を指定する情報を送信する送信工程と、
請求項１または２に記載の情報出力システムから出力された前記検索条件を受信する受信工程と、
前記受信工程が受信した検索条件を表示する表示工程と、
を有することを特徴とする制御方法。
【請求項９】
１又は複数のコンピュータが実行するプログラムであって、
複数の施設から所望の施設を検索するために用いられた検索条件を、複数のユーザから取得する検索条件取得手段と、
前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、
前記評価手段により選択又は／及び並べられた検索条件を出力する出力手段
として前記コンピュータを機能させることを特徴とするプログラム。
【請求項１０】
コンピュータが実行するプログラムであって、
前記所望の施設を指定する情報を送信する送信手段と、
請求項１または２に記載の情報出力システムから出力された前記検索条件を受信する受信手段と、
前記受信手段が受信した検索条件を表示する表示手段
として前記コンピュータを機能させることを特徴とするプログラム。
【請求項１１】
請求項９または１０に記載のプログラムを記憶したことを特徴とする記憶媒体。
【発明の詳細な説明】
【技術分野】
【０００１】
本発明は、施設の検索技術に関する。
【背景技術】
【０００２】
従来から、カーナビゲーションなどの端末装置が施設検索した際に使用した検索条件を収集する技術が知られている。例えば、特許文献１には、端末装置が施設検索を行った場合に、検索条件と現在位置等の検索地点とを含む検索情報をサーバ装置に送信し、サーバ装置は、受信した検索情報に基づき、検索条件を指定した検索地点の分布図などを生成する技術が記載されている。
【先行技術文献】
【特許文献】
【０００３】
【特許文献１】特開２００８−３０９７２０号公報
【発明の概要】
【発明が解決しようとする課題】
【０００４】
施設検索では、ユーザが入力により指定した検索条件に基づき、該当する施設の検索を行うため、検索に慣れていないユーザにとっては、検索条件の指定が難しく、所望の施設を適切に検索できないことがあった。
【０００５】
本発明は、上記のような課題を解決するためになされたものであり、所望の施設に対する代表的な検索条件を好適に提示することが可能な情報出力システム、端末装置、及び表示システムを提供することを主な目的とする。
【課題を解決するための手段】
【０００６】
請求項に記載の発明は、情報出力システムであって、複数の施設から所望の施設を検索するために用いられた検索条件を、複数のユーザから取得する検索条件取得手段と、前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、前記評価手段により選択又は／及び並べられた検索条件を出力する出力手段と、を有することを特徴とする。
【０００７】
また、請求項に記載の発明は、端末装置であって、前記所望の施設を指定する情報を送信する送信手段と、上記記載の情報出力システムから出力された前記検索条件を受信する受信手段と、前記受信手段が受信した検索条件を表示する表示手段と、を有することを特徴とする。
【０００８】
また、請求項に記載の発明は、上記記載の情報出力システムと、前記情報出力システムと通信を行う端末装置とを有する表示システムであって、前記端末装置は、前記所望の施設を指定する情報を送信する送信手段と、前記情報出力システムの出力手段から出力された前記検索条件を受信する受信手段と、前記受信手段が受信した検索条件を表示する表示手段と、を有することを特徴とする。
【０００９】
また、請求項に記載の発明は、１又は複数のサーバ装置が実行する制御方法であって、複数の施設から所望の施設を検索するために用いられた検索条件を、複数のユーザから取得する検索条件取得工程と、前記検索条件取得工程によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価工程と、前記評価工程により選択又は／及び並べられた検索条件を出力する出力工程と、を有することを特徴とする。
【００１０】
また、請求項に記載の発明は、端末装置が実行する制御方法であって、前記所望の施設を指定する情報を送信する送信工程と、上記記載の情報出力システムから出力された前記検索条件を受信する受信工程と、前記受信工程が受信した検索条件を表示する表示工程と、
を有することを特徴とする。
【００１１】
また、請求項に記載の発明は、１又は複数のコンピュータが実行するプログラムであって、複数の施設から所望の施設を検索するために用いられた検索条件を、複数のユーザから取得する検索条件取得手段と、前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、前記評価手段により選択又は／及び並べられた検索条件を出力する出力手段として前記コンピュータを機能させることを特徴とする。
【００１２】
また、請求項に記載の発明は、コンピュータが実行するプログラムであって、前記所望の施設を指定する情報を送信する送信手段と、上記記載の情報出力システムから出力された前記検索条件を受信する受信手段と、前記受信手段が受信した検索条件を表示する表示手段として前記コンピュータを機能させることを特徴とする。
【図面の簡単な説明】
【００１３】
【図１】実施例に係る表示システムの概略構成である。
【図２】ナビゲーション装置の概略構成を示す。
【図３】（Ａ）サーバ装置の機能構成を示す。（Ｂ）ナビゲーション装置の機能構成を示す。
【図４】ナビゲーション装置及びサーバ装置が実行する検索情報蓄積処理のフローチャートを示す。
【図５】検索情報ＤＢのデータ構造の一例を示す。
【図６】代表検索条件リストの生成処理を示すフローチャートである。
【図７】代表検索条件リストを取得後のナビゲーション装置の表示例を示す。
【図８】変形例に係るナビゲーション装置の表示例を示す。
【図９】変形例に係るナビゲーション装置の表示例を示す。
【発明を実施するための形態】
【００１４】
本発明の好適な実施形態によれば、情報出力システムは、複数の施設から所望の施設を検索するために用いられた検索条件を、複数のユーザから取得する検索条件取得手段と、前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、前記評価手段により選択又は／及び並べられた検索条件を出力する出力手段と、を有する。
【００１５】
上記の情報出力システムは、例えば１又は複数のサーバ装置から構成され、検索条件取得手段と、評価手段と、出力手段と、を有する。検索条件取得手段は、複数の施設から所望の施設を検索するために用いられた検索条件を、複数のユーザから取得する。評価手段は、検索条件取得手段によって取得された複数の検索条件の各々で所望の施設を検索した結果から得られる評価値に基づき、複数の検索条件から所望の施設の検索に適した検索条件を選択し、又は／及び、複数の検索条件を所望の施設の検索に適した順に並べる。出力手段は、評価手段により選択又は／及び並べられた検索条件を出力する。この態様により、情報出力システムは、所望の施設に対する代表的な検索条件を認識して好適に出力することができる。
【００１６】
上記情報出力システムの一態様では、前記評価手段は、前記評価値を、前記検索条件で検索した場合に得られる施設の数、前記検索条件で検索した場合の前記所望の施設の順位、及び前記検索条件が前記複数のユーザによって用いられた回数の少なくとも１つに基づき算出する。この態様により、情報出力システムは、検索条件を定量的に評価した評価値を好適に算出することができる。
【００１７】
本発明の他の好適な実施形態によれば、端末装置は、前記所望の施設を指定する情報を送信する送信手段と、上記記載の情報出力システムから出力された前記検索条件を受信する受信手段と、前記受信手段が受信した検索条件を表示する表示手段と、を有する。この態様により、端末装置は、任意の施設を指定し、その施設の代表的な検索条件を好適にユーザに提示することができる。
【００１８】
上記端末装置の一態様では、端末装置は、前記表示手段が表示した検索条件のうち、外部入力に基づき指定された検索条件を指定するための操作方法を出力する案内手段をさらに有する。この態様により、端末装置は、検索に慣れていないユーザに対して、検索条件の指定方法を好適に認識させることができる。
【００１９】
上記端末装置の他の一態様では、端末装置は、前記表示手段が表示した検索条件のうち、外部入力に基づき指定された検索条件に対して施設検索を実行し、当該施設検索の結果を出力する検索結果出力手段をさらに有する。この態様により、端末装置は、表示手段が表示した任意の検索条件により検索した場合の検索結果をユーザに好適に認識させることができる。
【００２０】
本発明の他の好適な実施形態によれば、上記記載の情報出力システムと、前記情報出力システムと通信を行う端末装置とを有する表示システムであって、前記端末装置は、前記所望の施設を指定する情報を送信する送信手段と、前記情報出力システムの出力手段から出力された前記検索条件を受信する受信手段と、前記受信手段が受信した検索条件を表示する表示手段と、を有する。この態様により、表示システムは、ユーザが任意の施設を指定した場合に、その施設の代表的な検索条件を好適にユーザに提示することができる。
【００２１】
本発明の他の好適な実施形態によれば、１又は複数のサーバ装置が実行する制御方法であって、複数の施設から所望の施設を検索するために用いられた検索条件を、複数のユーザから取得する検索条件取得工程と、前記検索条件取得工程によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価工程と、前記評価工程により選択又は／及び並べられた検索条件を出力する出力工程と、を有する。サーバ装置は、この制御方法を実行することで、所望の施設に対する代表的な検索条件を認識して好適に出力することができる。
【００２２】
本発明の他の好適な実施形態によれば、端末装置が実行する制御方法であって、前記所望の施設を指定する情報を送信する送信工程と、上記記載の情報出力システムから出力された前記検索条件を受信する受信工程と、前記受信工程が受信した検索条件を表示する表示工程と、を有する。端末装置は、この制御方法を実行することで、任意の施設を指定し、その施設の代表的な検索条件を好適にユーザに提示することができる。
【００２３】
本発明の他の好適な実施形態によれば、１又は複数のコンピュータが実行するプログラムであって、複数の施設から所望の施設を検索するために用いられた検索条件を、複数のユーザから取得する検索条件取得手段と、前記検索条件取得手段によって取得された複数の前記検索条件の各々で前記所望の施設を検索した結果から得られる評価値に基づき、複数の前記検索条件から前記所望の施設の検索に適した検索条件を選択し、又は／及び、複数の前記検索条件を前記所望の施設の検索に適した順に並べる評価手段と、前記評価手段により選択又は／及び並べられた検索条件を出力する出力手段として前記コンピュータを機能させる。コンピュータは、このプログラムを実行することで、所望の施設に対する代表的な検索条件を認識して好適に出力することができる。
【００２４】
本発明の他の好適な実施形態によれば、コンピュータが実行するプログラムであって、前記所望の施設を指定する情報を送信する送信手段と、上記記載の情報出力システムから出力された前記検索条件を受信する受信手段と、前記受信手段が受信した検索条件を表示する表示手段として前記コンピュータを機能させる。コンピュータは、このプログラムを実行することで、任意の施設を指定し、その施設の代表的な検索条件を好適にユーザに提示することができる。好適には、これらのプログラムは、記憶媒体に記憶される。
【実施例】
【００２５】
以下、図面を参照して本発明の好適な実施例について説明する。以後では、目的地とは、経由する地点として定められた地点（所謂、立寄地）も含むものとする。
【００２６】
［情報生成システムの構成］
図１は、本実施例に係る表示システムの概略構成である。表示システムは、指定された施設の代表的な検索条件のリスト（「代表検索条件リストＰＲ」とも呼ぶ。）を表示するシステムである。図１に示すように、表示システムは、サーバ装置１００と、ナビゲーション装置２００と、ネットワーク３００とを備える。なお、図１の例では、便宜上２つのナビゲーション装置２００を図示しているが、実際には多数のナビゲーション装置２００が使用される。
【００２７】
ナビゲーション装置２００は、例えば車両に搭載される据置型のナビゲーション装置や経路案内を行う携帯型端末であって、無線通信によりサーバ装置１００との間で情報の送受信を行う。なお、ナビゲーション装置２００としては、車両に搭載されるものに限らず、人が持ち歩くポータブルタイプのもの、携帯電話やゲーム機などを利用してナビゲーション機能を実現するものなど、多種のものを利用することができる。ナビゲーション装置２００は、本発明における「端末装置」の一例である。
【００２８】
サーバ装置１００は、ナビゲーション装置２００からの要求に応じて、指定された施設に対する代表検索条件リストＰＲを生成し、当該代表検索条件リストＰＲをナビゲーション装置２００へ送信する。サーバ装置１００は、本発明における「情報出力システム」の一例である。
【００２９】
［ナビゲーション装置］
図２に、ナビゲーション装置２００の構成を示す。図２に示すように、ナビゲーション装置２００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００３０】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３１】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３２】
システムコントローラ２０は、インタフェース２１、ＣＰＵ２２、ＲＯＭ２３及びＲＡＭ２４を含んでおり、ナビゲーション装置２００全体の制御を行う。
【００３３】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３４】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３５】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３６】
データ記憶ユニット３６は、例えば、ＨＤＤなどにより構成され、地図データや施設データなどのナビゲーション処理に用いられる各種データを記憶する。
【００３７】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ、登録商標）センタから配信される渋滞や交通情報などの道路交通情報、その他の情報を受信する。また、本実施例では、ナビゲーション装置２００は、通信装置３８を使用して検索結果などの情報をサーバ装置１００へ送信する。
【００３８】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００３９】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４０】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４１】
なお、ＣＰＵ２２は、予めＲＯＭ２３などに記憶されたプログラムを実行することにより、本発明のコンピュータとして機能する。また、ＣＰＵ２２は、通信装置３８と共に本発明の送信手段及び受信手段として機能する。さらに、ＣＰＵ２２は、表示ユニット４０と共に本発明の表示手段として機能する。
【００４２】
［機能構成］
図３（Ａ）はサーバ装置１００の機能構成を示す。サーバ装置１００は、複数のナビゲーション装置２００から、目的地を設定する際に実行された施設検索に関する情報（「検索情報」とも呼ぶ。）を収集する。ここで、検索情報は、検索条件及び検索結果の情報を含み、検索結果には、検索に基づき目的地に指定された施設（「目的地設定施設Ｐａ」とも呼ぶ。）の情報が含まれる。そして、サーバ装置１００は、収集した検索情報に基づき、ナビゲーション装置２００により指定された施設（「表示対象施設Ｐｂ」とも呼ぶ。）の代表検索条件リストＰＲを生成し、当該ナビゲーション装置２００に表示させる。
【００４３】
具体的には、サーバ装置１００は、入力部１１と、制御部１２と、送受信部１３と、検索情報データベース（ＤＢ）１４とを備える。入力部１１は、サーバ装置１００を操作するオペレータにより使用されるキーボード、マウスその他の入力装置である。制御部１２は、ＣＰＵ、ＲＯＭ及びＲＡＭを含んでおり、サーバ装置１００の全体の制御を行う。例えば、制御部１２は、検索情報ＤＢ１４に蓄積された検索情報に基づいて、代表検索条件リストＰＲを生成する。なお、代表検索条件リストＰＲの生成方法については後述する。送受信部１３は、無線通信などを利用して、複数のナビゲーション装置２００と通信する。
【００４４】
なお、制御部１２は、予めＲＯＭ等に記憶されたプログラムを実行することにより、本発明のコンピュータとして機能する。また、制御部１２は、本発明における評価手段として機能する。また、制御部１２は、送受信部１３と共に、検索条件取得手段及び出力手段として機能する。
【００４５】
図３（Ｂ）はナビゲーション装置２００のうち本実施例に関連する要素の機能構成を示す。本実施例では、ナビゲーション装置２００は、ユーザの操作に応じて周辺検索などの検索を実行し、その検索により得られた検索情報をサーバ装置１００へ送信する。また、ナビゲーション装置２００は、ディスプレイ４４上に表示されている施設のうち、ユーザが指定した表示対象施設Ｐｂの代表検索条件リストＰＲをサーバ装置１００に要求する。そして、ナビゲーション装置２００は、サーバ装置１００から受信した代表検索条件リストＰＲを、表示対象施設Ｐｂの表示位置に対応付けてディスプレイ４４上に表示する。
【００４６】
具体的に、入力部１５１は、図２に示す入力装置６０により構成され、ユーザによる検索実行の指示の入力、検索条件の入力などに使用される。検索条件は、例えば現在位置の周辺にある施設に限定して検索を行う周辺検索、ジャンルを指定するジャンル検索、施設名を直接指定する名称検索、施設の住所を指定する住所検索、キーワードを入力するキーワード検索などの種々の検索方式に基づき定まる１又は複数の条件を指す。
【００４７】
検索部１５２は、システムコントローラ２０内のＣＰＵ２２が予め用意されたプログラムを実行することにより実現され、ユーザにより指示された検索を実行する。このとき、検索部１５２は、例えば、施設情報ＤＢ１５４に登録された各施設について、検索条件に合致する度合いを示す指標を算出し、当該指標が所定の閾値より高い施設を、当該指標が高い順に並べて出力する。上述の指標は、一般的な検索に用いられる任意の指標であってもよい。
【００４８】
送受信部１５３は、通信装置３８により構成され、検索情報や表示対象施設Ｐａの情報をサーバ装置１００へ送信する際、及び、代表検索条件リストＰＲをサーバ装置１００から受信する際に使用される。
【００４９】
施設情報ＤＢ１５４は、データ記憶ユニット３６により構成され、地理上の施設情報を記憶している。具体的には、多数の施設について、施設情報と位置情報とを対応付けて記憶している。なお、施設情報には、施設の具体的な名称に加えて、その施設のジャンル名などが記憶されている。この施設情報は一般的なナビゲーション装置などにおいて、地図データの一部として含まれているものである。
【００５０】
表示部１５６は、表示ユニット４０により構成され、現在位置周辺の地図画像を表示する。
【００５１】
制御部１５７は、システムコントローラ２０内のＣＰＵ２２が予め用意されたプログラムを実行することにより実現され、送受信部１５３や表示部１５６などの他の構成要素の全般的な制御を行う。例えば、制御部１５７は、目的地設定施設Ｐａへ到着したか否か判断し、目的地設定施設Ｐａへ到着した場合には、目的地設定施設Ｐａの検索により得た検索情報を、送受信部１５３によりサーバ装置１００へ送信する。また、制御部１５７は、送受信部１５３により代表検索条件リストＰＲをサーバ装置１００から取得する処理、及び、代表検索条件リストＰＲを表示部１５６により地図画像上に表示する処理を行う。
【００５２】
［検索情報蓄積処理］
次に、サーバ装置１００の検索情報ＤＢ１４に検索情報を蓄積する処理（「検索情報蓄積処理」とも呼ぶ。）について説明する。
【００５３】
図４は、ナビゲーション装置２００及びサーバ装置１００が実行する検索情報蓄積処理のフローチャートを示す。ユーザが入力部１５１を通じて検索条件を入力した場合、ナビゲーション装置２００は、入力された検索条件に基づき、施設情報ＤＢ１５４を参照して、施設の検索を実行する（ステップＳ１０１）。そして、ナビゲーション装置２００は、検索条件を満たす施設のリストをディスプレイ４４上に表示する（ステップＳ１０２）。次に、ナビゲーション装置２００は、目的地設定施設Ｐａを決定する（ステップＳ１０３）。この場合、ナビゲーション装置２００は、検索条件を満たす施設のリストから入力部１５１により選択された施設を目的地設定施設Ｐａに決定する。次に、ナビゲーション装置２００は、目的地への到着が認められた場合に、送受信部１５３を通じて検索情報をサーバ装置１００へ送信する（ステップＳ１０４）。
【００５４】
サーバ装置１００は、ナビゲーション装置２００から検索情報を受信し（ステップＳ１０５）、検索情報ＤＢ１４に保存する（ステップＳ１０６）。こうして、サーバ装置１００は、複数のナビゲーション装置２００から検索情報を収集する。
【００５５】
図５は、こうして収集された検索情報のデータベースである検索情報ＤＢ１４のデータ構造の一例を示す。図示のように、検索情報は、検索条件と、目的地設定施設Ｐａの情報と、ヒット数と、ヒット順位とを含む。検索情報ＤＢ１４は、目的地設定施設Ｐａの情報として、目的地設定施設Ｐａの名称と緯度及び経度で表された位置情報とを記憶する。「ヒット数」は、関連付けられた検索条件にて検索した場合に検索結果として出力される施設数を示す。「ヒット順位」は、関連付けられた検索条件にて検索した場合に検索結果として出力される施設リストでの目的地設定施設Ｐａの順位を示す。なお、図５の検索条件の欄では、便宜上、指定された検索条件を「／」で区切って表示している。
【００５６】
ここで、図５に示す検索情報ＤＢ１４の１番目に記憶されたレコードを生成する例について具体的に説明する。まず、ナビゲーション装置２００のユーザは、周辺検索及び「餃子」を指定したキーワード検索を行い、緯度「Ｘ１」、経度「Ｙ１」の地点にある施設「餃子の○○  川崎店」を目的地に設定している。このとき、ナビゲーション装置２００は、上述の検索条件を満たす施設を３０００個検出し、かつ、施設「餃子の○○  川崎店」を検索結果の施設リストに１５番目に出力している。そして、ナビゲーション装置２００は、施設「餃子の○○  川崎店」に到着した場合に、これらの情報を検索情報としてサーバ装置１００に送信し、サーバ装置１００は、送信された上述の検索情報を検索情報ＤＢ１４に記憶する。
【００５７】
なお、検索情報ＤＢ１４に記憶される検索情報は、図５に示すデータ構造に加え、検索が行われたナビゲーション装置２００を識別するＩＤである端末ＩＤ、検索が実際に行われた日時を指す検索日時、又は／及びその検索において使用した施設情報のバージョン情報などをさらに含んでもよい。この場合、ナビゲーション装置２００は、図４のステップＳ１０４において、これらの情報を検索情報に含めてサーバ装置１００に送信する。
【００５８】
［代表検索条件リストの生成方法］
次に、代表検索条件リストＰＲの生成方法について説明する。概略的には、サーバ装置１００は、ナビゲーション装置２００から表示対象施設Ｐｂを指定した代表検索条件リストＰＲの要求信号を受信した場合に、検索情報ＤＢ１４において表示対象施設Ｐｂに関連付けられた各検索条件を抽出する。そして、サーバ装置１００は、抽出した各検索条件について、表示対象施設Ｐｂを検索する際の妥当性を示す評価値を算出し、評価値が高い順に並べた検索条件のリストを、代表検索条件リストＰＲとして決定する。
【００５９】
１．評価値の算出方法
ここで、まず、上述の評価値の算出方法について詳しく説明する。以後では、検索情報ＤＢ１４で表示対象施設Ｐｂに関連付けられた異なる全「ｎ」個の各検索条件を「ＣＳｊ」、各検索条件ＣＳｊに対するｎ個の評価値を「Ｖｊ」とし、「ｊ」は１〜ｎまでの各整数を指すものとする。
【００６０】
まず、サーバ装置１００は、検索条件ＣＳｊの評価値Ｖｊを算出するのに必要な各指標を取得する。具体的には、サーバ装置１００は、各検索条件ＣＳｊについて、当該検索条件ＣＳｊが表示対象施設Ｐｂを検索するのに利用された回数（「検索数Ａｊ」とも呼ぶ。）と、検索条件ＣＳｊにより施設検索をした場合のヒット数（「ヒット数Ｈｊ」とも呼ぶ。）及び表示対象施設Ｐｂのヒット順位（「ヒット順位Ｒｊ」とも呼ぶ。）とをそれぞれ取得する。
【００６１】
ここで、検索数Ａｊを決定する場合、サーバ装置１００は、検索条件が検索条件ＣＳｊであって目的地設定施設Ｐａが表示対象施設Ｐｂである検索情報ＤＢ１４のレコード数を、検索数Ａｊとして算出する。また、ヒット数Ｈｊ及びヒット順位Ｒｊを決定する場合、サーバ装置１００は、検索条件が検索条件ＣＳｊであって目的地設定施設Ｐａが表示対象施設Ｐｂである検索情報ＤＢ１４のレコードを参照して、ヒット数Ｈｊ及びヒット順位Ｒｊを決定する。このとき、参照したレコード間で、ヒット数及びヒット順位の組が異なる場合には、サーバ装置１００は、例えば最も多いヒット数及びヒット順位の組をヒット数Ｈｊ及びヒット順位Ｒｊに設定してもよく、最も新しく生成されたレコードのヒット数及びヒット順位の組をヒット数Ｈｊ及びヒット順位Ｒｊに設定してもよい。
【００６２】
そして、サーバ装置１００は、検索数Ａｊが多いほど評価値Ｖｊが高くなり、ヒット数Ｈｊが多いほど評価値Ｖｊが高くなり、ヒット順位Ｒｊが高いほど評価値Ｖｊが高くなるように、評価値Ｖｊを算出する。
【００６３】
これについて補足説明する。一般的に、検索条件ＣＳｊは、利用された回数が多いほど、利用価値が高い検索条件である可能性が高い。従って、サーバ装置１００は、検索数Ａｊを、検索条件ＣＳｊの利用価値を示す好適な指標とみなし、検索数Ａｊが多いほど評価値Ｖｊを高くする。また、一般的に、該当する施設数が多い検索条件ほど、一般的に用いられる検索条件である可能性が高い。従って、サーバ装置１００は、ヒット数Ｈｊを、検索条件ＣＳｊの一般的な利用可能性（汎用性）を示す好適な指標とみなし、ヒット数Ｈｊが多いほど評価値Ｖｊを高くする。また、一般的に、ある施設を検索する際に当該施設の順位が高くなる検索条件ほど、その施設を検索する際の検索条件として妥当である可能性が高い。従って、サーバ装置１００は、ヒット順位Ｒｊを、検索条件ＣＳｊが表示対象施設Ｐｂを適切に表現しているかを示す好適な指標とみなし、ヒット順位Ｒｊが高いほど評価値Ｖｊを高くする。
【００６４】
以上を勘案し、好適には、サーバ装置１００は、以下の式（１）に基づき検索条件ＣＳｊの評価値Ｖｊを算出するとよい。
【００６５】
Ｖｊ＝ｌｏｇ（Ｈｊ）／ｌｏｇ（Ｒｊ＋１０）×Ａｊ      式（１）
ここで、式（１）について補足説明する。式（１）により評価値Ｖｊを計算した場合、検索数Ａｊが多いほど評価値Ｖｊが高くなり、ヒット数Ｈｊが多いほど評価値Ｖｊが高くなり、ヒット順位Ｒｊが高い（即ちＲｊの数値が小さい）ほど評価値Ｖｊが高くなる。また、式（１）では、ヒット数Ｈｊ及びヒット順位Ｒｊの対数が用いられている。これは、例えばヒット順位Ｒｊが１位の場合と１０位の場合とで１０倍の評価差があるとは考えにくいためである。また、式（１）では、Ｒｊの対数が負にならないようにＲｊに１０が加算されている。従って、サーバ装置１００は、式（１）により評価値Ｖｊを計算することで、表示対象施設Ｐｂに対する検索条件ＣＳｊの妥当性、言い換えると、他の施設検索への応用のしやすさを定量的に評価することができる。
【００６６】
ここで、式（１）を用いた評価値Ｖｊの算出の具体例を説明する。ここでは、表示対象施設Ｐｂとして、図５の検索情報ＤＢ１４に登録された施設「餃子の○○  川崎店」が指定され、サーバ装置１００は、検索条件ＣＳ１として「周辺／餃子」を設定し、検索条件ＣＳ２として「川崎／餃子」を設定したものとする。また、検索情報ＤＢ１４には、検索条件「周辺／餃子」と目的地設定施設Ｐａ「餃子の○○  川崎店」との組のレコードが合計１０個記憶されていたとする。また、検索情報ＤＢ１４には、検索条件「川崎／餃子」と目的地設定施設Ｐａ「餃子の○○  川崎店」との組のレコードが合計３０個記憶されていたとする。
【００６７】
この場合、サーバ装置１００は、検索数Ａ１を「１０」、ヒット数Ｈ１を「３０００」、ヒット順位Ｒ１を「１５」に設定し、検索条件ＣＳ１「周辺／餃子」に対する評価値Ｖ１を以下の式（２）のように算出する。
【００６８】
Ｖ１＝ｌｏｇ（３０００）／ｌｏｇ（１５＋１０）×１０
≒３．４７／１．３９×１０≒２４．９      式（２）
また、サーバ装置１００は、検索数Ａ２を「３０」、ヒット数Ｈ２を「３００」、ヒット順位Ｒ２を「２」に設定し、検索条件ＣＳ２「川崎／餃子」に対する評価値Ｖ２を以下の式（３）のように算出する。
【００６９】
Ｖ２＝ｌｏｇ（３００）／ｌｏｇ（２＋１０）×３０
≒２．４７／１．０７×３０≒６９．２      式（３）
この場合、検索条件ＣＳ１「周辺／餃子」の評価値Ｖ１（≒２４．９）よりも、検索条件ＣＳ２「川崎／餃子」の評価値Ｖ２（≒６９．２）が高い。従って、サーバ装置１００は、検索条件ＣＳ２「川崎／餃子」の方が、検索条件ＣＳ１「周辺／餃子」よりも、他の施設検索へ応用しやすい検索条件であるとみなし、代表検索条件リストＰＲにおいて検索条件ＣＳ１よりも上位にする。このように、サーバ装置１００は、式（１）に従い評価値Ｖｊを算出することで、他の施設検索へ応用しやすいか否かを定量的に判定し、他の施設検索へ応用しやすい順に検索条件ＣＳｊを並べることができる。
【００７０】
２．処理フロー
次に、代表検索条件リストＰＲを生成するための処理手順について説明する。図６は、代表検索条件リストＰＲの生成処理を示すフローチャートである。サーバ装置１００は、図６に示すフローチャートの処理を、ナビゲーション装置２００から表示対象施設Ｐｂを指定する情報を含む代表検索条件リストＰＲの要求信号を受信した場合に実行する。
【００７１】
まず、サーバ装置１００は、表示対象施設Ｐｂに関連付けられた検索条件ＣＳｊ（ｊ＝１〜ｎ）を検索情報ＤＢ１４から抽出する（ステップＳ２０１）。次に、サーバ装置１００は、検索情報ＤＢ１４を参照し、各検索条件ＣＳｊについて、検索数Ａｊ、ヒット数Ｈｊ、及びヒット順位Ｒｊを取得する（ステップＳ２０２）。そして、サーバ装置１００は、各検索条件ＣＳｊの評価値Ｖｊを算出する（ステップＳ２０３）。具体的には、サーバ装置１００は、各検索条件ＣＳｊについて、ステップＳ２０２で取得した検索数Ａｊ、ヒット数Ｈｊ、及びヒット順位Ｒｊに基づいて、式（１）を参照して評価値Ｖｊを算出する。
【００７２】
そして、サーバ装置１００は、検索条件ＣＳｊを、評価値Ｖｊの高い順に並べた代表検索条件リストＰＲを生成する（ステップＳ２０４）。その後、サーバ装置１００は、生成した代表検索条件リストＰＲを、送受信部１３を介してナビゲーション装置２００に送信する。その後、ナビゲーション装置２００は、受信した代表検索条件リストＰＲを、表示中の表示対象施設Ｐｂに関連付けてディスプレイ４４上に表示する。この表示例については、図７を参照して詳しく説明する。
【００７３】
３．表示例
図７は、代表検索条件リストＰＲを取得後のナビゲーション装置２００の表示例を示す。図７の例では、ナビゲーション装置２００は、ナビゲーション装置２００が搭載された車両の前方を３次元表示したグラフィック画像をディスプレイ４４上に表示している。なお、表示された画像中には、走行予定のルートを示す案内ルート４５と、施設「餃子の○○  川崎店」を表す施設４６とが表示されている。
【００７４】
図７の例では、ナビゲーション装置２００は、施設４６を指し示す吹き出し４７を画像上に表示している。そして、ナビゲーション装置２００は、吹き出し４７内に、施設４６の代表検索条件リストＰＲのうち上位３つのリストＰＲ１〜ＰＲ３を表示している。
【００７５】
ここで、図７に示す代表検索条件リストＰＲを表示するまでに必要な処理について説明する。まず、ナビゲーション装置２００は、施設４６上をユーザが指先でタッチすること等により施設４６が指定されたことを検知し、施設４６が表示対象施設Ｐｂであることを認識する。この場合、ナビゲーション装置２００は、施設４６の名称又は／及び位置情報を含む代表検索条件リストＰＲの要求信号をサーバ装置１００に送信し、施設４６に対する代表検索条件リストＰＲを受信する。そして、ナビゲーション装置２００は、受信した代表検索条件リストＰＲのうち、上位３つのリストＰＲ１〜ＰＲ３を含む吹き出し４７を、施設４６の表示位置に対応付けて表示する。
【００７６】
このように、ナビゲーション装置２００は、ユーザが画面上で任意の施設を指定した場合に、当該施設の代表検索条件リストＰＲを表示する。これにより、ナビゲーション装置２００は、施設４６やそれに似た施設を探す場合にどのような検索条件で検索すればよいかをユーザに容易に想起させることができる。例えば、図７の例では、ユーザは、施設「餃子の○○」のチェーン店を検索する場合には、当該施設の所在市及び「餃子」を検索条件にするのが有効であると認識する。また、ナビゲーション装置２００は、指定された表示対象施設Ｐｂに代表検索条件リストＰＲを表示することで、指定された表示対象施設Ｐｂがどのような施設であるかを表示対象施設Ｐｂ中の検索条件に基づきユーザに好適に推察させることができる。
【００７７】
［変形例］
以下、実施例の各変形例について説明する。なお、これらの各変形例は、組み合わせて上述の実施例に適用してもよい。
【００７８】
（変形例１）
図５の検索情報ＤＢ１４の説明では、サーバ装置１００は、ナビゲーション装置２００から受信した検索情報に含まれるヒット数及びヒット順位の情報を検索情報ＤＢ１４に登録した。これに代えて、サーバ装置１００は、ヒット数及びヒット順位を自ら算出してもよい。
【００７９】
例えば、この場合、サーバ装置１００は、ナビゲーション装置２００が有する施設情報ＤＢ１５４と同様の施設情報ＤＢを有し、当該施設情報ＤＢを参照して、ナビゲーション装置２００から受信した検索情報に含まれる検索条件に基づき検索を行う。そして、サーバ装置１００は、上述の検索により得られたヒット数及びヒット順位を検索情報ＤＢ１４に登録する。
【００８０】
なお、サーバ装置１００は、ヒット数及びヒット順位を検索情報ＤＢ１４に登録することなく、評価値Ｖｊの算出時に、対応する検索条件ＣＳｊに基づき検索を行うことでヒット数Ｈｊ及びヒット順位Ｒｊを定めてもよい。
【００８１】
（変形例２）
実施例で説明したサーバ装置１００の処理を、複数のサーバ装置からなるサーバシステムが実行してもよい。例えば、検索情報ＤＢ１４を有するサーバ装置と、評価値Ｖｊを算出するサーバ装置とが別体であってもよい。そして、本変形例では、サーバシステムの各サーバ装置は、他のサーバ装置と通信を行うことで、割り当てられた処理を実行する。この場合、上述のサーバシステムは、本発明における「情報出力システム」の一例である。
【００８２】
（変形例３）
図４のフローチャートの処理では、ナビゲーション装置２００は、ステップＳ１０４において、目的地設定施設Ｐａに到着したことを確認した場合に、検索情報をサーバ装置１００に送信した。これに代えて、ナビゲーション装置２００は、ステップＳ１０３で目的地設定施設Ｐａを決定した時点で、目的地設定施設Ｐａに到着することを確認することなく、検索情報をサーバ装置１００に送信してもよい。これにより、サーバ装置１００は、検索情報ＤＢ１４に登録するレコード数を好適に増やすことができる。
【００８３】
（変形例４）
図７の表示例では、ナビゲーション装置２００は、運転者の視点に基づく三次元グラフィック画像を表示させていた。しかし、本発明が適用可能なナビゲーション装置２００の表示形式は、これに限定されず、種々の表示形式であってもよい。
【００８４】
例えば、ナビゲーション装置２００は、２次元の地図画像を表示してもよく、車両の前方に配置されたカメラが撮影した実写画像を表示してもよい。これらの場合であっても、ナビゲーション装置２００は、画像に表示中の任意の施設が指定されたことを検知した場合に、当該施設を表示対象施設Ｐｂであるとみなし、当該施設の代表検索条件リストＰＲを表示する。
【００８５】
他の例では、ナビゲーション装置２００は、ディスプレイ４４に代えて、コンバイナやフロントガラスなどを介して虚像を表示させるヘッドアップディスプレイに代表検索条件リストＰＲを表示してもよい。この場合、ナビゲーション装置２００は、前方風景に存在する表示対象施設Ｐｂと対応する位置に代表検索条件リストＰＲを虚像として表示させる。
【００８６】
（変形例５）
図７の表示例において、ナビゲーション装置２００は、代表検索条件リストＰＲとして表示したリストＰＲ１〜ＰＲ３のいずれかが選択された場合、選択されたリストが示す検索条件を用いて検索した場合の検索結果となる施設リストをさらに表示してもよい。
【００８７】
図８は、本変形例に係るナビゲーション装置２００の表示例を示す。図８の例では、ナビゲーション装置２００は、タッチパネルなどによりリストＰＲ１が選択されたことを検知し、リストＰＲ１が示す検索条件「川崎  餃子」で施設検索を行い、その検索結果となる施設のリストを表示したウィンドウ４８をリストＰＲ１の近傍に表示している。図８の例では、ナビゲーション装置２００は、「川崎  餃子」で施設検索を行った場合の上位３つの施設の施設名を並べてウィンドウ４８に表示している。
【００８８】
この態様によれば、ユーザは、代表検索条件リストＰＲとして表示された各リストが示す検索条件で検索した場合の検索結果を容易に把握することができる。
【００８９】
（変形例６）
図７の表示例において、ナビゲーション装置２００は、代表検索条件リストＰＲとして表示したリストＰＲ１〜ＰＲ３のいずれかが選択された場合、選択されたリストが示す検索条件にて検索を実行する方法を表示してもよい。
【００９０】
図９は、本変形例に係るナビゲーション装置２００の表示例を示す。図９の例では、ナビゲーション装置２００は、リストＰＲ２が選択されたことを検知し、リストＰＲ２が示す検索条件を指定する方法を表示したウィンドウ４９を表示させている。具体的に、ナビゲーション装置２００は、ウィンドウ４９上に、周辺検索を行い、さらに「餃子」を入力ワードとするキーワード検索を行うべき旨を表示している。なお、図９の例に代えて、ナビゲーション装置２００は、周辺検索やキーワード検索の実行手順の詳細をさらにディスプレイ４４上に表示させてもよい。
【００９１】
このように、ナビゲーション装置２００は、代表検索条件リストＰＲの各リストを選択可能とし、選択されたリストが示す検索条件の指定方法を表示することで、ユーザが選択したリストが示す検索条件の指定方法をユーザに好適に認識させることができる。従って、この態様により、ナビゲーション装置２００は、検索に慣れていないユーザに対しても、検索条件の指定方法を好適に認識させ、所望の検索条件を指定させることができる。
【００９２】
（変形例７）
サーバ装置１００は、図６のステップＳ２０４において、ステップＳ２０１で抽出した検索条件ＣＳｊのうち、評価値Ｖｊが高い順に所定個数分の検索条件を選択し、選択した検索条件のリストを代表検索条件リストＰＲとしてナビゲーション装置２００に送信してもよい。上述の所定個数は、例えばナビゲーション装置２００が表示に必要な個数（図７では３個）に設定される。
【００９３】
これによっても、ナビゲーション装置２００は、好適に、ユーザが指定した任意の施設の代表検索条件リストＰＲを表示することができる。
【００９４】
（変形例８）
サーバ装置１００は、評価値Ｖｊを算出する際、検索数Ａｊ、ヒット数Ｈｊ、及びヒット順位Ｒｊを全て使用した。これに代えて、サーバ装置１００は、検索数Ａｊ、ヒット数Ｈｊ、及びヒット順位Ｒｊのうち、２つ又は１つを用いて評価値Ｖｊを算出してもよい。
【００９５】
この場合、サーバ装置１００は、例えば、検索数Ａｊを使用しない場合には、式（１）のＡｊを１にして評価値Ｖｊを算出する。同様に、サーバ装置１００は、ヒット数Ｈｊを使用しない場合には、式（１）の「ｌｏｇ（Ｈｊ）」を１にして評価値Ｖｊを算出し、ヒット順位Ｒｊを使用しない場合には、式（１）の「ｌｏｇ（Ｒｊ＋１０）」を１にして評価値Ｖｊを算出する。これによっても、サーバ装置１００は、表示対象施設Ｐｂの検索条件として妥当性を示す評価値Ｖｊを好適に算出することができる。
【００９６】
（変形例９）
図１に示す表示システムは、経路案内を行うナビゲーション装置２００以外に、経路案内を実行しない端末装置を有してもよい。この場合であっても、端末装置は、例えばナビゲーション装置２００と同様の構成を有し、ユーザの入力に基づき指定された表示対象施設Ｐｂに対する代表検索条件リストＰＲをサーバ装置１００に要求する。そして、端末装置は、サーバ装置１００から受信した代表検索条件リストＰＲを地図画像上に表示する。また、これに加え、端末装置は、施設検索を行った場合には、検索結果である施設のリストから所望の施設をユーザが指定したときに、その検索情報をサーバ装置１００に送信してもよい。
【符号の説明】
【００９７】
１０  自立測位装置
１２  ＧＰＳ受信機
２０  システムコントローラ
２２  ＣＰＵ
３６  データ記憶ユニット
３８  通信装置
４０  表示ユニット
４４  ディスプレイ
６０  入力装置
１００  サーバ装置
２００  ナビゲーション装置
３００  ネットワーク
【図１】
2014203252.tif 000003
【図２】
2014203252.tif 000004
【図３】
2014203252.tif 000005
【図４】
2014203252.tif 000006
【図５】
2014203252.tif 000007
【図６】
2014203252.tif 000008
【図７】
2014203252.tif 000009
【図８】
2014203252.tif 000010
【図９】
2014203252.tif 000011